(57)【特許請求の範囲】
【請求項１】
マスクタイプの美容器具の作動方法であって、前記マスクタイプの美容器具は、フレキシブルマスク及び該フレキシブルマスクを制御するためのコントローラーを含み、前記フレキシブルマスクは、可撓性層、可撓性多孔層、複数の機能層及び複数の電極を含み、前記可撓性層及び前記可撓性多孔層が積層して設置され、複数の前記機能層は、前記可撓性層と前記可撓性多孔層との間に設置され、且つ対を成し、左右の対応した位置に配された複数の機能層対を含み、各前記電極は、一つの前記機能層又は一対の前記機能層対と電気的に接続され、各前記機能層は、グラフェン層を含み、該グラフェン層は、少なくとも一層のグラフェンを含み、
前記フレキシブルマスクは、液体が浸漬された状態で、前記可撓性多孔層が直接に皮膚に接触するように、人間の顔に取り付け可能であり、
前記コントローラーは、前記コントローラーの電源が入れられ、該コントローラーの機能ボタンが選択された場合、前記フレキシブルマスクにおける任意の二つの前記電極の間に電圧を印加し、二つの前記電極と電気的に接続された二つの前記機能層又は二対の前記機能層対の間に電流を形成することを特徴とするマスクタイプの美容器具の作動方法。
【請求項２】
前記電極の数量がＫ（Ｋ＝１、２、３、４、５……）個であることを定義すれば、前記機能層又は前記機能層対の数量はＫ（Ｋ＝１、２、３、４、５……）対又はＫ（Ｋ＝１、２、３、４、５……）個であり、前記コントローラーは、１及び２、２及び３、３及び４、……Ｋ−１及びＫの方式で二つの前記電極の間に電圧を循環に印加して、各二つの前記電極が対応する二つの前記機能層又は二対の前記機能層対に循環に電流を入力することを特徴とする、請求項１に記載のマスクタイプの美容器具の作動方法。
【請求項３】
前記コントローラーは、二つの前記電極に印加する電圧を２０Ｖ〜３６Ｖに制御し、電圧の周波数を５０Ｋｈｚ〜１００Ｋｈｚに制御することを特徴とする、請求項１に記載のマスクタイプの美容器具の作動方法。
【請求項４】
前記コントローラーは、一つの前記電極が一対の前記機能層対に対応する時に、一対の前記電極に電圧を印加する時に、二対の前記機能層対に電流を入力することを特徴とする、請求項２に記載のマスクタイプの美容器具の作動方法。
【請求項５】
前記コントローラーは、一つの前記電極が一つの前記機能層に対応する時に、一対の前記電極に電圧を印加する時に、二つの前記機能層に電流を入力することを特徴とする、請求項２に記載のマスクタイプの美容器具の作動方法。
【発明の詳細な説明】
【技術分野】
【０００１】
本発明は、マスクタイプの美容器具及びその使用方法に関し、特に、グラフェン層を機能層とするマスクタイプの美容器具及びその使用方法に関するものである。
【背景技術】
【０００２】
人々の物質的な生活水準の継続的な改善に伴い、美容に対する人々の要求もますます高くなっている。従って、美容のフレキシブルマスク、美容器具製品が非常によく売れている。特に、美容器具は、人間の顔に顔を刺激する微小電流を生成できるため、美容と美しさの効果を実現でき、ますます多くの人々に愛されている。
【先行技術文献】
【非特許文献】
【０００３】
【非特許文献１】Ｋａｉｌｉ  Ｊｉａｎｇ、Ｑｕｎｑｉｎｇ  Ｌｉ、Ｓｈｏｕｓｈａｎ  Ｆａｎ、“Ｓｐｉｎｎｉｎｇ  ｃｏｎｔｉｎｕｏｕｓ  ｃａｒｂｏｎ  ｎａｎｏｔｕｂｅ  ｙａｒｎｓ”、Ｎａｔｕｒｅ、２００２年、第４１９巻、ｐ．８０１
【特許文献】
【０００４】
【特許文献１】中国特許出願公開第１０１２３９７１２号明細書
【特許文献２】中国特許出願公開第１０１２８４６６２号明細書
【特許文献３】中国特許出願公開第１０１３１４４６４号明細書
【発明の概要】
【発明が解決しようとする課題】
【０００５】
しかしながら、従来の美容器具はすべてハンドヘルド美容器具である。使用するとき、人々は手で美容器具を持って、それを操作する必要があり、彼らは鏡の前に立つ必要がある。これによって、ハンドヘルド美容器具が使用される時に、非常に不便である。さらに、ハンドヘルド美容器具が一方の顔で操作した後、他方の顔で操作する必要があるので、人間の操作は、両側の顔の作動位置が一致しないこと又は強度が異なることを生じやすい。従って、長期間の使用は、顔の非対称を引き起こす可能性がある。
【０００６】
これによって、上記技術問題を解決するために、マスクタイプの美容器具及びその使用方法を提供することが必要である。
【課題を解決するための手段】
【０００７】
マスクタイプの美容器具の使用方法は、マスクタイプの美容器具を提供するステップであって、前記マスクタイプの美容器具は、フレキシブルマスク及び該フレキシブルマスクを制御するためのコントローラーを含み、前記フレキシブルマスクは、可撓性層、可撓性多孔層、複数の機能層及び複数の電極を含み、前記可撓性層及び前記可撓性多孔層が積層して設置され、複数の前記機能層は、前記可撓性層と前記可撓性多孔層との間に設置され、各前記電極は、一つの前記機能層又は一対の前記機能層と電気的に接続され、各前記機能層は、グラフェン層を含み、該グラフェン層は、少なくとも一層のグラフェンを含むステップと、前記マスクタイプの美容器具のフレキシブルマスクに液体を浸漬するステップと、前記マスクタイプの美容器具のフレキシブルマスクを人間の顔に取り付けるステップであって、前記可撓性多孔層が直接に皮膚に接触するステップと、前記コントローラーの電源を入れ、該コントローラーの機能ボタンを選択し、前記フレキシブルマスクの機能層に電流を入力し、人間の顔の皮膚を刺激するステップと、を含む。
【０００８】
前記電極の数量がＫ（Ｋ＝１、２、３、４、５……）個であることを定義すれば、前記機能層の数量はＫ（Ｋ＝１、２、３、４、５……）対又はＫ（Ｋ＝１、２、３、４、５……）個である。
【０００９】
１及び２、２及び３、３及び４、……Ｋ−１及びＫの方式で二つの前記電極の間に電圧を循環に印加して、各二つの前記電極が対応する機能層に循環に電流を入力して、循環に順に皮膚を刺激する。
【００１０】
二つの前記電極に電圧を印加する電圧が２０Ｖ〜３６Ｖであり、電圧の周波数が５０Ｋｈｚ〜１００Ｋｈｚである。
【００１１】
一つの前記電極が一対の前記機能層に対応する時に、一対の前記電極に電圧を印加する時に、二対の機能層に電流を入力する。
【００１２】
一つの前記電極が一つの前記機能層に対応する時に、一対の前記電極に電圧を印加する時に、二つの機能層に電流を入力する。
【発明の効果】
【００１３】
従来技術と比べて、本発明の一態様から提供されるマスクタイプの美容器具及びその使用方法は、人間の顔に直接に取り付けることができるので、手で支える必要がなく、ユーザーの手を解放できる。コントローラーが回路を制御することによって、選択的に顔の皮膚を刺激し、刺激を必要とする位置をより正確に選択でき、顔の非対称性を引き起こすことがない。
【図面の簡単な説明】
【００１４】
【図１】本発明の第一実施例によるマスクタイプの美容器具の構造を示す図である。
【図２】本発明の第一実施例によるマスクタイプの美容器具の写真である。
【図３】本発明の第一実施例によるマスクタイプの美容器具の機能層の番号を示す図である。
【図４】本発明の実施例によるドローン構造カーボンナノチューブフィルムのＳＥＭ写真である。
【図５】本発明の実施例によるドローン構造カーボンナノチューブフィルムにおけるカーボンナノチューブセグメントの構造を示す図である。
【図６】本発明の実施例による綿毛構造のカーボンナノチューブフィルムのＳＥＭ写真である。
【図７】本発明の実施例によるプレシッド構造カーボンナノチューブフィルムのＳＥＭ写真である。
【図８】本発明の第二実施例によるマスクタイプの美容器具の構造を示す図である。
【図９】本発明の第三実施例によるマスクタイプの美容器具の構造を示す図である。
【発明を実施するための形態】
【００１５】
以下、添付の図面及び具体的な実施形例を参照して、本発明の一態様によるマスクタイプの美容器具及びその使用方法をさらに詳細に説明する。
【００１６】
本発明の第一実施例は、マスクタイプの美容器具を提供する。マスクタイプの美容器具は、フレキシブルマスク及びフレキシブルマスクを制御するためのコントローラーを含む。図１及び図２を参照すると、フレキシブルマスク１００は、可撓性層１０２、可撓性多孔層１０６、複数の機能層１０４及び複数の電極１０８を含む。可撓性層１０２及び可撓性多孔層１０６が積層して設置される（明確に表示するため、図１において、可撓性層１０２及び可撓性多孔層１０６が別々に示される）。可撓性層１０２及び可撓性多孔層１０６は、それぞれ目及び口に対応する開口部（図示せず）を備える。複数の機能層１０４は、可撓性層１０２と可撓性多孔層１０６との間に設置される。複数の機能層１０４は、対称的に分布し、或いは規則的に分布する。複数の機能層１０４の中の各一対又は各一つの機能層１０４は、それぞれ、一つの電極１０８と電気的に接続される。電極１０８の数量がＫ（Ｋ＝１、２、３、４、５……）個であることを定義すれば、機能層１０４の数量はＫ（Ｋ＝１、２、３、４、５……）対又はＫ（Ｋ＝１、２、３、４、５……）個である。コントローラーは、複数の電極１０８と電気的に接続され、複数の電極１０８によって、フレキシブルマスク１００における複数の機能層１０４を制御する。各機能層１０４がグラフェン層を含む。機能層１０４の数量が制限されず、実際の応用に応じて、フレキシブルマスク１００の任意の位置に設置することができる。機能層１０４の面積が異なってもよく、実際のニーズに応じて、調整することができる。本実施例において、機能層１０４の数量が八層であり、対称的にフレキシブルマスク１００の両頬の位置に分布され、機能層１０４の面積が上から下までだんだん減少する。
【００１７】
コントローラーには、フレキシブルマスク１００を制御するための複数の機能ボタンが設けられる。各機能ボタンは、電流の大きさ、電流の周波数、入力電流の位置などを制御することを通して、フレキシブルマスクの内部の機能層１０４を制御して、異なる機能を実現することができる。フレキシブルマスク１００は、コントローラーと可動的に接続されてもよい。また、可撓性層１０２又は可撓性多孔層１０６に窓（図示せず）が設けられ、Ｋ個の電極が窓から露出し、コントローラーと電気的に接続される。本実施例において、フレキシブルマスク１００は、可撓性層１０２に窓１１０を設けている。Ｋ個の電極１０８が窓１１０から露出し、コントローラーと電気的に接続される。
【００１８】
本実施例において、フレキシブルマスク１００は、窓１１０の位置に接続口を用意しておき、コントローラーは接続口を介して、フレキシブルマスク１００に接続される。フレキシブルマスク１００は、ニーズに応じて交換することができる。フレキシブルマスク１００は、再利用のために、洗浄してもよい。
【００１９】
可撓性層１０２の材料は、人の顔に直接に取り付けることができる不織布、正絹層、一般的な可撓性布、多孔質可撓性紙、又はシリカゲルなどの可撓性材料である。可撓性層１０２の厚さは、実際の応用に応じて設定することができる。本実施例において、可撓性層１０２の厚さは、１０マイクロメートル〜１００マイクロメートルである。可撓性層１０２は、多孔質構造又は非多孔質構造であってもよい。可撓性多孔層１０６の材料は、人の顔に直接に取り付けることができる不織布、正絹層、一般的な可撓性布、多孔質可撓性紙、又はシリカゲルなどの可撓性多孔質材料である。可撓性多孔層１０６の材料は、可撓性層１０２の材料と同じでも、異なってもよい。可撓性多孔層１０６は、多孔質材料であり、複数の微孔を備えている。使用する時に、可撓性多孔層１０６は、人の顔に直接に取り付け、美容液が複数の微孔から出来て、人の顔に作用する。可撓性多孔層１０６の厚さが実際のニーズに応じて設置することができる。本実施例において、可撓性多孔層１０６の厚さが１０マイクロメートル〜１００マイクロメートルである。
【００２０】
Ｋ個の電極１０８は、形状が制限されず、導電フィルム、金属シート又は金属リード線である。好ましくは、Ｋ個の電極１０８が、線状の導電フィルムであり、線状の導電フィルムの厚さが制限されない。電極１０８の材料は、金属、合金、ＩＴＯ、ＡＴＯ、導電銀テープ、導電性ポリマー及び導電カーボンナノチューブ等のいずれかの一種である。金属又は合金材料は、アルミニウム、銅、タングステン、モリブデン、金、チタン、ネオジム、パラジウム、セシウム又は任意の組み合わせの合金である。本実施例において、Ｋ個の電極１０８は、線状の銅導電フィルムであり、銅導電フィルムの厚さが１マイクロメートルである。電極１０８は、可撓性が優れ、厚さが薄い材料を選択するべきである。好ましくは、電極１０８は、幅又は直径が５００マイクロメートル以下であり、厚さが２００マイクロメートル以下である。好ましくは、電極１０８が酸化されないように、電極１０８の表面に絶縁層（図示せず）を設置してもよく、電極１０８が分布される箇所に透明の絶縁層を敷設してもよい。絶縁層の材料が制限されず、フレキシブル材料であればいい。
【００２１】
各電極１０８が一つの機能層１０４又は一対の機能層１０４に対応する。一つの電極１０８が一つの機能層１０４に対応する時に、電極１０８の一つの端部が機能層１０４と電気的に接続され、電極１０８のもう一つの端部がコントローラーと電気的に接続される。これによって、コントローラーは、一つの電極１０８によって、一つの機能層１０４が電流を流れるかどうかを制御することができ、一つの電極１０８の番号は、一つの機能層１０４の番号に対応する。一つの電極１０８が一対の機能層１０４に対応する時に、電極１０８の両端がそれぞれ各々の機能層１０４と電気的に接続され、電極１０８の中間位置がコントローラーと電気的に接続される。これによって、コントローラーは、一つの電極１０８によって、一対の機能層１０４が電流を流れるかどうかを制御することができ、一つの電極１０８の番号は、一対の機能層１０４の番号に対応する。複数の電極１０８の番号の順序がその位置の順序を代表しない。即ち、番号が隣接する二つの電極１０８は、その位置が必ずしも隣接するとは限らなく、隣接して設置してもよく、間隔をあけて設置してもよい。電極１０８の番号が機能層１０４の番号と対応するので、番号が隣接する両対の機能層１０４又は番号が隣接する二つの機能層１０４の位置が隣接して設置してもよく、間隔をあけて設置してもよい。応用する時に、１及び２、２及び３、３及び４、……Ｋ−１及びＫの方式で二つの電極１０８の間に電圧を循環に印加するので、各二つの電極１０８が対応する両対の機能層１０４又は二つの機能層１０４に循環に電流を入力して、循環に順に皮膚を刺激する目的を実現するようになる。両対の機能層１０４の番号が隣接して、例えば、番号２及び番号３であるが、両対の機能層１０４の位置も隣接することを代表しなく、番号が隣接する両対の機能層１０４の位置は、実際のニーズに応じて設置することができる。図３を参照すると、本実施例において、一つの電極１０８が一対の機能層１０４に対応し、フレキシブルマスク１００は、四対の機能層１０４を含み、四対の機能層１０４の番号が１、２、３及び４であり、番号の１、２、３及び４の位置が制限されず、任意に設置することができ、例えば、図３におけるＡ〜Ｄ図を参照する。応用する時に、電極１０８の番号１及び２、２及び３、３及び４の循環方式によって、電極１０８に電圧を印加する。従って、順次又は選択的に両対の機能層１０４に微小電流を形成し、順次に皮膚を刺激し、或いは選択的に皮膚を刺激するようになる。
【００２２】
各機能層１０４は、グラフェン層を含む。グラフェン層は、積層して設置される多層のグラフェンを含み、或いは、グラフェン層は、単層のグラフェンであってもよい。グラフェンは、複数の６員環炭素原子からなるシート状構造体である。単層のグラフェンの面積が大きい場合、単層のグラフェンは、一層の機能層１０４としてもよい。グラフェン層が複数のグラフェンを含む場合、複数のグラフェンが積層して設置され、グラフェン層が形成され、グラフェン層におけるグラフェンは、分子間力によって互いに接続される。グラフェン層におけるグラフェンの配列方式、互いに積層して設置しても、並列して設置しても、重なり合って設置してもよい。グラフェン層の厚さが１００ナノメートル以下である。本実施例において、グラフェン層の厚さは、０．５ナノメートル〜１００ナノメートルである。グラフェン層の厚さは、単層のグラフェンの厚さ〜1ミリメートルである。
【００２３】
各々の機能層１０４は、積層して設置されるグラフェン層及びカーボンナノチューブ層を含む。グラフェン層及びカーボンナノチューブ層からなるグラフェン複合材料において、グラフェン層とカーボンナノチューブ層が積層して設置される。グラフェン層とカーボンナノチューブ層が分子間力によって結合される。
【００２４】
各々の機能層１０４は、グラフェン複合材料層であってもよい。グラフェン複合材料層は、多層のグラフェン及び複数のカーボンナノチューブが互いに混合して形成された複合構造である。グラフェン複合材料層が多層のグラフェン及び複数のカーボンナノチューブを含む時に、多層のグラフェン及び複数のカーボンナノチューブが均一的に混合して、分子間力によって結合される。グラフェン複合材料層は、多層のグラフェン及び複数のカーボンナノチューブを溶剤に分散して形成された混合溶液を基板に塗布することによって、形成される。本実施例において、基板は、可撓性層１０２又は可撓性多孔層１０６である。
【００２５】
カーボンナノチューブ層は、均一に分布した複数のカーボンナノチューブを含み、カーボンナノチューブは、分子間力で緊密に結合する。カーボンナノチューブ層は、多孔構造であり、複数の微孔を含む。カーボンナノチューブ層における微孔の直径が１０マイクロメートル以下である。カーボンナノチューブ層は、カーボンナノチューブのみを含む純粋なカーボンナノチューブ層であってもよい。カーボンナノチューブ層の厚さは、５０ナノメートル〜１００マイクロメートルであることが好ましい。カーボンナノチューブ層におけるカーボンナノチューブは、単層カーボンナノチューブ、二層カーボンナノチューブ及び多層カーボンナノチューブの中の一種又は多種である。カーボンナノチューブは、純粋なカーボンナノチューブチューブであってもよい。純粋なカーボンナノチューブは、カーボンナノチューブの表面にアモルファスカーボン及び官能基などの不純物を含まなくなる。単層カーボンナノチューブの直径は、０.５ナノメートル〜５０ナノメートルであり、二層カーボンナノチューブの直径は、１．０ナノメートル〜５０ナノメートルであり、多層カーボンナノチューブの直径は、１．５ナノメートル〜５０ナノメートルである。カーボンナノチューブ層は、配向しに配置されている複数のカーボンナノチューブ又は配向せず、ランダムに配置されている複数のカーボンナノチューブを含む。配向しに配置されることは、複数のカーボンナノチューブが同じ方向に沿って配列していることを指す。
【００２６】
好ましくは、カーボンナノチューブ層は自立構造である。ここで、「自立構造」とは、支持体材を利用せず、自体の所定の形状を保持でき、カーボンナノチューブ層を独立して利用することができるという形態のことである。すなわち、カーボンナノチューブ層を対向する両側から支持して、カーボンナノチューブ層の構造を変化させずに、カーボンナノチューブ層を懸架させることができることを意味する。自立構造のカーボンナノチューブ層は、複数のカーボンナノチューブを含み、複数のカーボンナノチューブが分子間力によって互いに引き付けられ、カーボンナノチューブ層を所定の形状を有させ、一体構造を有する自立構造であるカーボンナノチューブ層を形成するようになる。例えば、カーボンナノチューブスラリー層の自立構造ではないカーボンナノチューブ層と比べて、自立構造のカーボンナノチューブ層は、より優れた可撓性を有する。実験によって、カーボンナノチューブスラリーを機能層１０４として、フレキシブルマスク１００の内部に塗布されると、カーボンナノチューブスラリーが乾燥した後、カーボンナノチューブスラリーが塗布されたので、フレキシブルマスク１００の可撓性は、下がることが分られる。
【００２７】
具体的には、カーボンナノチューブ層は、少なくとも一枚の、カーボンナノチューブフィルムを含む。カーボンナノチューブ層が複数のカーボンナノチューブフィルムを含む場合、複数のカーボンナノチューブフィルムが積層して設置される。カーボンナノチューブフィルムに、複数のカーボンナノチューブが配向し又は配向せずに配置されている。複数のカーボンナノチューブの配列方式により、カーボンナノチューブフィルムは非配向型のカーボンナノチューブフィルム及び配向型のカーボンナノチューブフィルムの二種に分類される。非配向型のカーボンナノチューブフィルムにおける複数のカーボンナノチューブは、ランダムに配列される。ランダムに配列されることとは、複数のカーボンナノチューブの配列方向が不規則である。配向型のカーボンナノチューブフィルムにおける複数のカーボンナノチューブは、配列方向が規則である。具体的には、非配向型のカーボンナノチューブフィルムにおける複数のカーボンナノチューブは絡み合って、非配向型のカーボンナノチューブフィルムからなるカーボンナノチューブ層は、等方性を有する。配向型のカーボンナノチューブフィルムでは、複数のカーボンナノチューブが一つの方向又は複数の方向に沿って、配向に配列している。カーボンナノチューブフィルムは、ドローン構造カーボンナノチューブフィルム、プレシッド構造カーボンナノチューブフィルム又は綿毛構造カーボンナノチューブフィルムである。
【００２８】
ドローン構造カーボンナノチューブフィルムは、超配列カーボンナノチューブアレイ（Ｓｕｐｅｒａｌｉｇｎｅｄ  ａｒｒａｙ  ｏｆ  ｃａｒｂｏｎ  ｎａｎｏｔｕｂｅｓ，非特許文献１を参照）から引き出して得られ、自立構造を有したものである。カーボンナノチューブ層は、一層のドローン構造カーボンナノチューブフィルム又は二層以上のドローン構造カーボンナノチューブフィルムを含む。単一のドローン構造カーボンナノチューブフィルムにおいて、複数のカーボンナノチューブの大部分は、ドローン構造カーボンナノチューブフィルムの表面に平行に、ドローン構造カーボンナノチューブフィルムを引き出す方向に沿って、且つ、同じ方向に沿って配列されている。複数のカーボンナノチューブは、分子間力で端と端が接続されている。
【００２９】
微視的には、ドローン構造カーボンナノチューブフィルムにおいて、同じ方向に沿って配列された複数のカーボンナノチューブ以外に、該同じ方向に沿っておらずランダムな方向を向いたカーボンナノチューブも存在している。ここで、該ランダムな方向を向いたカーボンナノチューブは、前記同じ方向に沿って配列された複数のカーボンナノチューブと比べて、割合は小さい。
【００３０】
図４及び図５を参照すると、単一のドローン構造カーボンナノチューブフィルムは、複数のカーボンナノチューブセグメント１４３を含む。複数のカーボンナノチューブセグメント１４３は、長さ方向に沿って分子間力で端と端が接続されている。それぞれのカーボンナノチューブセグメント１４３は、相互に平行に、分子間力で結合された複数のカーボンナノチューブ１４５を含む。カーボンナノチューブセグメント１４３は、任意の幅、厚さ、均一性及び形状を有する。ドローン構造カーボンナノチューブフィルムは、厚さが０．５ナノメートル〜１００マイクロメートルであり、その幅がドローン構造カーボンナノチューブフィルムを引き出して得た超配列カーボンナノチューブアレイのサイズと関係があり、長さが制限されない。ドローン構造カーボンナノチューブフィルム及びその製造方法は、特許文献１を参照されたい。
【００３１】
カーボンナノチューブ層が二層以上のドローン構造カーボンナノチューブフィルムを含む場合、複数のドローン構造カーボンナノチューブフィルムが積層して設置され、又は並列して設置される。隣接するドローン構造カーボンナノチューブフィルムにおけるカーボンナノチューブは、交差角度αを成し、交差角度αが０°〜９０°である（０°≦α≦９０°）。複数のドローン構造カーボンナノチューブフィルムの間又は一枚のドローン構造カーボンナノチューブフィルムにおける隣接するカーボンナノチューブの間に間隔を有するので、カーボンナノチューブ層に複数の微孔が形成され、微孔の直径が１０マイクロメートル以下であり、基体をこれらの微孔に滲入させるようになる。
【００３２】
綿毛構造カーボンナノチューブフィルム（ｆｌｏｃｃｕｌａｔｅｄ  ｃａｒｂｏｎ  ｎａｎｏｔｕｂｅ  ｆｉｌｍ）は、凝集法によって形成されたカーボンナノチューブフィルムである。綿毛構造カーボンナノチューブフィルムは、相互に絡み合い、均一に配列される複数のカーボンナノチューブを含む。カーボンナノチューブの長さは、１０マイクロメートル以上であり、２００マイクロメートル〜９００マイクロメートルであると好ましい。複数のカーボンナノチューブは、分子間力によって、相互に引き付け、絡み合い、カーボンナノチューブネット状に形成されている。綿毛構造カーボンナノチューブフィルムは、等方性を有する。綿毛構造カーボンナノチューブフィルムにおける複数のカーボンナノチューブが均一に分布され、ランダムに配列され、複数の微孔が形成されている。ここで、微孔の直径が１０マイクロメートル以下になる。綿毛構造カーボンナノチューブフィルムの長さ及び幅が制限されない。図６を参照すると、綿毛構造カーボンナノチューブフィルムにおけるカーボンナノチューブは、相互に絡み合って配置されるので、綿毛構造カーボンナノチューブフィルムは柔軟性に優れ、且つ自立構造を有するものであり、任意の形状に湾曲して形成させることができる。綿毛構造カーボンナノチューブフィルム及びその製造方法は、特許文献２を参照されたい。
【００３３】
プレシッド構造カーボンナノチューブフィルム（ｐｒｅｓｓｅｄ  ｃａｒｂｏｎ  ｎａｎｏｔｕｂｅ  ｆｉｌｍ）は、押し器具を利用することにより、所定の圧力をかけてカーボンナノチューブアレイを押し、カーボンナノチューブアレイを圧力で倒すことにより形成された、シート状の自立構造を有するものである。プレシッド構造カーボンナノチューブフィルムは、等方的に配列されているか、所定の方向に沿って配列されているか、または、異なる複数の方向に沿って配列されている複数のカーボンナノチューブを含む。プレシッド構造カーボンナノチューブフィルムにおけるカーボンナノチューブの配列方向は、押し器具の形状及びカーボンナノチューブアレイを押す方向により決められている。プレシッド構造カーボンナノチューブフィルムにおけるカーボンナノチューブの一部が互いに積層して、且つ分子間力で引き付け、緊密に結合するので、プレシッド構造カーボンナノチューブフィルムは柔軟性に優れ、且つ自立構造を有するものであり、任意の形状に湾曲して形成させることができる。プレシッド構造カーボンナノチューブフィルムにおけるカーボンナノチューブは、分子間力によって互いに引き付け、緊密に結合して、プレシッド構造カーボンナノチューブフィルムを自立構造にならせる。
【００３４】
プレシッド構造カーボンナノチューブフィルムにおけるカーボンナノチューブの傾斜の程度は、カーボンナノチューブアレイにかけた圧力に関係する。プレシッド構造カーボンナノチューブフィルムにおけるカーボンナノチューブとカーボンナノチューブアレイが生長された基板の表面とは、角度βを成し、該角度βは０°以上１５°以下である。角度βは、カーボンナノチューブアレイにかけた圧力に関係する、圧力が大きくなるほど、角度βが小さくなる。好ましくは、プレシッド構造カーボンナノチューブフィルムにおけるカーボンナノチューブがカーボンナノチューブアレイの生長基板の表面に平行して配列する。カーボンナノチューブアレイを押す方式によって、プレシッド構造カーボンナノチューブフィルムにおけるカーボンナノチューブが異なる配列方式を有する。同じ方向に沿って、カーボンナノチューブアレイを押す時に、カーボンナノチューブが一つの所定の方向に沿って、選択的な方向に配列されている。図７を参照すると、異なる方向に沿って、カーボンナノチューブアレイを押す時に、カーボンナノチューブが異なる方向に沿って、選択的な方向に配列されている。カーボンナノチューブアレイが成長された基板に垂直な方向に沿って、カーボンナノチューブアレイを押す場合、プレシッド構造カーボンナノチューブフィルムは、等方性を有する。
【００３５】
プレシッド構造カーボンナノチューブフィルムにおけるカーボンナノチューブの長さは、５０マイクロメートル以上である。プレシッド構造カーボンナノチューブフィルムにおける隣接するカーボンナノチューブの間に間隔を有するので、プレシッド構造カーボンナノチューブフィルムに複数の微孔が形成される。ここで、微孔の直径が１０マイクロメートル以下になる。プレシッド構造カーボンナノチューブフィルム及びその製造方法は、特許文献３を参照されたい。
【００３６】
グラフェン層又は／及びグラフェン複合材料層は、可撓性層又は／及び可撓性多孔層よりも優れた可撓性を有する。グラフェン層又は／及びグラフェン複合材料層を機能層として、フレキシブルマスクに応用される時、フレキシブルマスクの可撓性は、機能層の設置によって低下することない。グラフェン層又は／及びグラフェン複合材料層の強度が強いので、フレキシブルマスクを折り曲げても引っ張っても、グラフェン層又は／及びグラフェン複合材料層が破壊されない。
【００３７】
本発明の第二実施例は、マスクタイプの美容器具を提供する。マスクタイプの美容器具は、フレキシブルマスク及びフレキシブルマスクを制御するためのコントローラーを含む。図８参照すると、フレキシブルマスク２００は、可撓性層２０２、可撓性多孔層２０６、複数の機能層２０４及び複数の電極２０８を含む。可撓性層２０２及び可撓性多孔層２０６が積層して設置され、複数の機能層２０４が可撓性層２０２と可撓性多孔層２０６との間に設置される。複数の機能層２０４が対称的に分布し、或いは、規則的に分布する。複数の機能層２０４における各一対の機能層２０４がそれぞれ、一つの電極２０８と電気的に接続される。本発明の第二実施例のマスクタイプの美容器具は、第一実施例のマスクタイプの美容器具と基本的に同じであり、異なることは、機能層の数量、分布位置及び電極２０８の数量である。本実施例において、機能層２０４が１２個であり、即ち、６対の機能層がそれぞれ、フレキシブルマスクの頬位置及び額位置に分布する。
【００３８】
本発明の第三実施例は、マスクタイプの美容器具を提供する。マスクタイプの美容器具は、フレキシブルマスク及びフレキシブルマスクを制御するためのコントローラーを含む。図９を参照すると、フレキシブルマスク３００は、可撓性層３０２、可撓性多孔層３０６、複数の機能層３０４及び複数の電極３０８を含む。可撓性層３０２及び可撓性多孔層３０６が積層して設置され、複数の機能層３０４が可撓性層３０２と可撓性多孔層３０６との間に設置される。複数の機能層３０４が対称的に分布し、或いは、規則的に分布する。複数の機能層３０４における各機能層３０４がそれぞれ、一つの電極３０８と電気的に接続される。即ち、機能層３０４と電極３０８が一対一の対応である。複数の機能層３０４がＮ個（Ｎ＝１、２、３、４、５……）の機能層３０４を含むことを定義し、Ｎ個の機能層３０４がＮ個の電極３０８と電気的に接続される。本発明の第三実施例のマスクタイプの美容器具は、第一実施例のマスクタイプの美容器具と基本的に同じであり、異なることは、機能層３０４と電極３０８が一対一に対応して設置される。即ち、機能層３０４の数量が電極３０８の数量が同じである。コントローラーが一つの電極３０８を制御することによって、一つの機能層３０４のみを制御する。この設置方法は、機能層３０４が選択的に人間の顔に作用することに便利である。
【００３９】
本発明は、さらにマスクタイプの美容器具の使用方法を提供し、マスクタイプの美容器具の使用方法は、以下のステップを含む。
【００４０】
ステップ一：マスクタイプの美容器具を提供して、マスクタイプの美容器具のフレキシブルマスクに美容液又は他の人間の顔に作用する必要とする液体を浸漬する。
【００４１】
ステップ二：マスクタイプの美容器具のフレキシブルマスクを人間の顔に取り付ける。
【００４２】
ステップ三：コントローラーの電源を入れ、コントローラーの機能ボタンを選択し、フレキシブルマスクの機能層に電流を入力して、人間の顔の皮膚を刺激する。
【００４３】
コントローラーには、フレキシブルマスクを制御するための複数の機能ボタンが設置される。各機能ボタンは、フレキシブルマスク内部の機能層を制御して、異なる機能を実現するために、電流の大きさ、電流の周波数、入力電流の位置などを制御できる。フレキシブルマスクは、コントローラーと可動接続することができる。フレキシブルマスクは、可撓性層及び可撓性多孔層の窓位置に接続口を取り置き、コントローラーは接続口によって、フレキシブルマスクに接続される。フレキシブルマスクは、必要に応じて交換することができる。フレキシブルマスクは、再使用を達成するために洗浄することもできる。
【００４４】
各電極が一つの機能層又は一対の機能層に対応する。一つの電極が一つの機能層に対応する時に、電極の一つの端部が機能層と電気的に接続され、電極のもう一つの端部がコントローラーと電気的に接続される。これによって、コントローラーは、一つの電極によって、一つの機能層が電流を流れるかどうかを制御することができ、一つの電極の番号は、一つの機能層の番号に対応する。一つの電極が一対の機能層に対応する時に、電極の両端が各々の機能層と電気的に接続され、電極の中間位置がコントローラーと電気的に接続される。これによって、コントローラーは、一つの電極によって、一対の機能層が電流を流れるかどうかを制御することができ、一つの電極の番号は、一対の機能層の番号に対応する。複数の電極の番号の順序がその位置の順序を代表しない。即ち、番号が隣接する二つの電極は、その位置が必ずしも隣接するとは限らない。電極の番号が機能層の番号と対応するので、番号が隣接する両対の機能層又は番号が隣接する二つの機能層の位置が隣接して設置してもよく、間隔をあけて設置してもよい。１及び２、２及び３、３及び４、……Ｋ-1及びＫの方式で二つの電極の間に電圧を循環に印加するので、各二つの電極が対応する両対の機能層又は二つの機能層に循環に電流を入力して、循環に順に皮膚を刺激する目的を実現するようになる。各対電極は、しばらく電圧を印加した後、しばらく電圧を印加しないで、次に他対の電極に電圧を印加する。各対電極の循環時間は、電圧を印加する時間及び電圧を印加しない時間の合計である。電圧を印加する電圧がニーズに応じて設置することができる。好ましくは、電圧を印加する電圧が２０Ｖ〜３６Ｖであり、電圧の周波数が５０Ｋｈｚ〜１００Ｋｈｚである。一つの電極が一対の機能層に対応する時に、二つの電極に電圧を印加し、二対の機能層に電流を入力することができる。一つの電極が一つの機能層に対応する時に、二つの電極に電圧を印加し、二つの機能層に電流を入力することができる。
【００４５】
第一実施例のマスクタイプの美容器具を例として説明する。フレキシブルマスク１００における四対の機能層の番号が図３Ｂに示す。コントローラーの機能ボタンを押すと、１及び２、２及び３、３及び４、４及び５の順序によって、循環して、各対の電極１０８によって、機能層１０４に電流を入力して、電流によって、循環に皮膚を刺激する。本実施例において、０.２ｓを一つのサイクルとして、０.１ｓ間電源オンして、０.１ｓ間電源オフして、このように循環する。各対の電極１０８の合計通電時間が１ｓであり、合計停留時間が１ｓである。電源オンする０.１ｓ間で、電極１０８の電圧が２０Ｖ〜３６Ｖで調節して、周波数が９０Ｋｈｚである。
【００４６】
本発明の一態様から提供されるマスクタイプの美容器具及びその使用方法は、以下の利点を有する。第一に、手で支えることなく、ユーザーの手を解放して、人間の顔に直接に取り付けることができる。第二に、コントローラーが回路を制御することによって、選択的に顔の皮膚を刺激し、刺激を必要とする位置をより正確に選択でき、顔の非対称性を引き起こすことがない。第三に、グラフェン層又は／及びグラフェン複合材料層を機能層として、グラフェン層又は／及びグラフェン複合材料層は可撓性層又は／及び可撓性多孔層よりもより優れた可撓性を有するので、フレキシブルマスクの可撓性は、機能層の設置によって低下することなく、フレキシブルマスクは、人間の顔によりよく取り付けることができ、ユーザーの快適性が優れる。第四に、グラフェン層又は／及びグラフェン複合材料層を機能層として、グラフェン層又は／及びグラフェン複合材料層の強度が強いので、フレキシブルマスクを折り曲げても引っ張っても洗浄しても、グラフェン層又は／及びグラフェン複合材料層が破壊されない。従って、フレキシブルマスクの使用寿命が長くなる。
【００４７】
また、当業者であれば、本発明の精神の範囲内で他の変更を行うことができる。もちろん、本発明の精神に従ってなされたこれらの変更は、いずれも本発明の保護請求する範囲に含まれるべきである。
【符号の説明】
【００４８】
１００、２００、３００    フレキシブルマスク
１０２、２０２、３０２    可撓性層
１０４、２０４、３０４    機能層
１０６、２０６、３０６    可撓性多孔層
１０８、２０８、３０８    電極
１１０    窓
１４３    カーボンナノチューブセグメント
１４５    カーボンナノチューブ
【図１】
0006975268.tif 000002
【図２】
0006975268.tif 000003
【図３】
0006975268.tif 000004
【図４】
0006975268.tif 000005
【図５】
0006975268.tif 000006
【図６】
0006975268.tif 000007
【図７】
0006975268.tif 000008
【図８】
0006975268.tif 000009
【図９】
0006975268.tif 000010